(57)【特許請求の範囲】
【請求項１】
帯域確保型のＩＰネットワークに接続された相手先装置と通信し、相手先装置に符号化された符号化画像データを含むファクシミリ通信データを送信するファクシミリ装置であって、
前記ＩＰネットワークに接続され、前記ＩＰネットワークを介して相手先装置と通信する通信部と、
時間の経過を計測する計時部と、
相手先装置とのセッションを確立させるための発呼処理を制御する第一通信制御部と、
前記発呼処理によるセッションの確立を条件として、前記計時部での計測が開始されるように制御する第一計時制御部と、
確立されたセッションにおいて、前記ファクシミリ通信データが前記通信部から相手先装置に送信されるように制御する第二通信制御部と、
確立されたセッションにおいて、利用する通信帯域の変更が設定された第一信号が前記通信部で受信された場合、セッションの確立から前記第一信号が受信されたタイミングまでの経過時間と、確立されたセッションを管理する基準の単位として定められた単位時間と、に応じて、前記第一信号にて設定された通信帯域の変更を受け入れることを表す第二信号と、前記第一信号にて設定された通信帯域の変更を受け入れないことを表す第三信号と、の何れかが前記通信部から相手先装置に送信されるように制御する第三通信制御部と、を備えるファクシミリ装置。
【請求項２】
確立されたセッションにおいて、前記経過時間と、前記単位時間と、の関係を判断する第一判断部を備え、
前記第三通信制御部は、
前記第一判断部にて判断される前記経過時間と前記単位時間との関係に関し、前記経過時間を前記単位時間で除した計算結果の余りとなる剰余時間に対して所定時間を足した第一基本時間が前記単位時間より長くなるような関係である場合、前記第二信号が前記通信部から相手先装置に送信されるように制御し、
前記第一判断部にて判断される前記経過時間と前記単位時間との関係に関し、前記第一基本時間が前記単位時間より短くなるような関係である場合、前記第三信号が前記通信部から相手先装置に送信されるように制御する、請求項１に記載のファクシミリ装置。
【請求項３】
前記第三信号が送信された場合、確立されたセッションにおいて、前記通信部から相手先装置に送信される符号化画像データのうち、前記第一信号が受信されたタイミングで送信されていない符号化画像データを送信するのに要する必要時間を取得する取得部と、
前記取得部にて取得された前記必要時間と、前記単位時間から前記剰余時間を差し引いた時間と、の関係を判断する第二判断部と、
前記第二判断部にて前記必要時間が前記単位時間から前記剰余時間を差し引いた時間より長い時間であると判断された場合、前記単位時間から前記第一基本時間を差し引いた第二基本時間をカウント値として、前記計時部での計測が開始されるように制御する第二計時制御部と、
前記第二計時制御部にて開始された計測において、前記第二基本時間が経過したかを判断する第三判断部と、を備え、
前記第三通信制御部は、前記第三判断部にて前記第二基本時間が経過したと判断された場合、前記通信部で受信された前記第一信号に設定されていた通信帯域と同一の通信帯域が設定された新たな第一信号が前記通信部から相手先装置に送信されるように制御する、請求項２に記載のファクシミリ装置。
【請求項４】
前記第一信号が受信された場合、受信された前記第一信号が、セッションの確立の際に設定された通信帯域より、低速の通信帯域が設定された信号であるか、高速の通信帯域が設定された信号であるか、を判断する第四判断部を備え、
前記第二通信制御部は、前記第三信号が前記通信部から前記相手先装置に送信され、且つ、前記第四判断部にて前記第一信号が低速の通信帯域が設定された信号であると判断された場合、前記ファクシミリ通信データの伝送速度を前記第一信号に設定された通信帯域の伝送速度に低下させる、請求項１から請求項３の何れか１項に記載のファクシミリ装置。
【発明の詳細な説明】
【技術分野】
【０００１】
本発明は、帯域確保型のＩＰネットワークに対応したファクシミリ装置に関する。
【背景技術】
【０００２】
従来から、ファクシミリ装置に関する技術が提案されている（例えば、特許文献１参照）。特許文献１には、公衆網を介して送信先通信装置に画情報のファクシミリ送信を行う通信装置が開示されている。通信装置では、送信先通信装置から、再送要求を受けた場合に、当該再送要求に「課金パルスによりエラーが生じた」旨の通知が付加されているときは、送信速度を変更せずに画情報が送信先通信装置に再送される。通信装置では、「課金パルスによりエラーが生じた」旨の通知がカウントされ、カウント値がある値になったときは通信速度を落として画情報が送信先通信装置に再送される。
【０００３】
市外局番から始まる電話番号を利用した帯域確保型のデータ通信サービスが提供されている（例えば、非特許文献１参照）。このサービスにはＮＧＮが利用される。
【先行技術文献】
【特許文献】
【０００４】
【特許文献１】特開２００４−１１２４８８号公報
【非特許文献】
【０００５】
【非特許文献１】東日本電信電話株式会社、“Ｎｅｗｓ  Ｒｅｌｅａｓｅ  「ひかり電話」を利用した帯域確保型データ通信サービス「データコネクト」の提供および大容量・多チャネルでの通信を実現する「ひかり電話ナンバーゲート」の提供について”、［online］、平成２２年５月３１日、［平成２３年９月７日検索］、インターネット< http://www.ntt-east.co.jp/release/detail/20100531_05.html >
【発明の概要】
【発明が解決しようとする課題】
【０００６】
非特許文献１における帯域確保型のデータ通信サービスでは、通信に要する時間が、基準の単位となる単位時間を経過する毎に、課金される。現在、非特許文献１による帯域確保型のデータ通信サービスでは、単位時間は３０秒とされている。単位時間あたりの単位課金額は、利用する通信帯域が高速となる程、高額となるように設定されている。非特許文献１のような帯域確保型のデータ通信サービスを利用して、符号化画像データを含むファクシミリ通信データを相手先装置に送信した場合、相手先装置から、利用する通信帯域の変更を要求する信号を受信することがある。ユーザが、この帯域確保型のデータ通信サービスを利用して、ファクシミリ通信データを送信したとする。この場合、例えば、通信が３０秒を超えた場合、６０秒までは、課金額は増加しない。前述の例において、通信に３１秒要したタイミングでは、同一課金内で、理論的には、残り２９秒間通信をすることができる。ただし、３１秒のタイミングで、通信帯域の変更が設定された信号を受信し、この信号に応じて、通信帯域を変更した場合、変更後のタイミングから新たに３０秒のカウントが開始される。この場合、残りの２９秒間の通信は行われていないにもかかわらず、６０秒まで通信した場合の額に、新たな通信帯域による通信に応じた額が加算される。即ち、相手先装置にファクシミリ通信データを送信するために確立されたセッションでの課金額は、最初の６０秒分までの額と、新たな通信帯域による時間に応じた額とを合計した額となる。ユーザ視点によれば、残り２９秒分の課金が無駄であるように感じられる。
【０００７】
本発明は、確立されたセッションにおいて、ファクシミリ通信データの送信先である相手先装置と好適な通信を行うことができる、ファクシミリ装置を提供することを目的とする。
【課題を解決するための手段】
【０００８】
上記従来の課題に鑑みなされた本発明の一側面は、帯域確保型のＩＰネットワークに接続された相手先装置と通信し、相手先装置に符号化された符号化画像データを含むファクシミリ通信データを送信するファクシミリ装置であって、前記ＩＰネットワークに接続され、前記ＩＰネットワークを介して相手先装置と通信する通信部と、時間の経過を計測する計時部と、相手先装置とのセッションを確立させるための発呼処理を制御する第一通信制御部と、前記発呼処理によるセッションの確立を条件として、前記計時部での計測が開始されるように制御する第一計時制御部と、確立されたセッションにおいて、前記ファクシミリ通信データが前記通信部から相手先装置に送信されるように制御する第二通信制御部と、確立されたセッションにおいて、利用する通信帯域の変更が設定された第一信号が前記通信部で受信された場合、セッションの確立から前記第一信号が受信されたタイミングまでの経過時間と、確立されたセッションを管理する基準の単位として定められた単位時間と、に応じて、前記第一信号にて設定された通信帯域の変更を受け入れることを表す第二信号と、前記第一信号にて設定された通信帯域の変更を受け入れないことを表す第三信号と、の何れかが前記通信部から相手先装置に送信されるように制御する第三通信制御部と、を備えるファクシミリ装置である。これによれば、経過時間と単位時間とに応じて、利用する通信帯域の変更を受諾するか、拒否するかを決定することができる。
【０００９】
このファクシミリ装置は、次のようにすることもできる。確立されたセッションにおいて、前記経過時間と、前記単位時間と、の関係を判断する第一判断部を備え、前記第三通信制御部は、前記第一判断部にて判断される前記経過時間と前記単位時間との関係に関し、前記経過時間を前記単位時間で除した計算結果の余りとなる剰余時間に対応した第一基本時間が前記単位時間より長くなるような関係である場合、前記第二信号が前記通信部から相手先装置に送信されるように制御し、前記第一判断部にて判断される前記経過時間と前記単位時間との関係に関し、前記第一基本時間が前記単位時間より短くなるような関係である場合、前記第三信号が前記通信部から相手先装置に送信されるように制御する。これによれば、経過時間と単位時間との関係に基づいたファクシミリ通信データの送信を好適に管理することができる。
【００１０】
また、前記第三信号が送信された場合、確立されたセッションにおいて、前記通信部から相手先装置に送信される符号化画像データのうち、前記第一信号が受信されたタイミングで送信されていない符号化画像データを送信するのに要する必要時間を取得する取得部と、前記取得部にて取得された前記必要時間と、前記単位時間から前記剰余時間を差し引いた時間と、の関係を判断する第二判断部と、前記第二判断部にて前記必要時間が前記単位時間から前記剰余時間を差し引いた時間より長い時間であると判断された場合、前記単位時間から前記第一基本時間を差し引いた第二基本時間をカウント値として、前記計時部での計測が開始されるように制御する第二計時制御部と、前記第二計時制御部にて開始された計測において、前記第二基本時間が経過したかを判断する第三判断部と、を備え、前記第三通信制御部は、前記第三判断部にて前記第二基本時間が経過したと判断された場合、前記通信部で受信された前記第一信号に設定されていた通信帯域と同一の通信帯域が設定された新たな第一信号が前記通信部から相手先装置に送信されるように制御する。これによれば、継続されるファクシミリ通信データの送信において、相手先装置からの要求に応じた通信帯域を利用した通信を実現することができる。相手先装置では、送信されるファクシミリ通信データを好適に受信することができる。
【００１１】
また、前記第一信号が受信された場合、受信された前記第一信号が、セッションの確立の際に設定された通信帯域より、低速の通信帯域が設定された信号であるか、高速の通信帯域が設定された信号であるか、を判断する第四判断部を備え、前記第二通信制御部は、前記第三信号が前記通信部から相手先装置に送信され、且つ、前記第四判断部にて前記第一信号が低速の通信帯域が設定された信号であると判断された場合、前記ファクシミリ通信データの伝送速度を前記第一信号に設定された通信帯域に低下させる。これによれば、実質的には、相手先装置の要求に従ったファクシミリ通信データの送信を実行させることができる。相手先装置では、送信されるファクシミリ通信データを好適に受信することができる。
【発明の効果】
【００１２】
本発明によれば、確立されたセッションにおいて、ファクシミリ通信データの送信先である相手先装置と好適な通信を行うことができる、ファクシミリ装置を得ることができる。
【図面の簡単な説明】
【００１３】
【図１】ファクシミリ装置の概略構成の一例を示すブロック図である。
【図２】通信帯域の変更に関する要求に応じて通信帯域を変更する第一実施例のシーケンス図である。
【図３】通信帯域の変更に関する要求に応じない場合のシーケンス図である。（Ａ）は、変更が通信帯域を高めるための要求である第二実施例のシーケンス図である。（Ｂ）は、変更が通信帯域を低下させるための要求である第三実施例のシーケンス図である。
【図４】ファクシミリ処理のフローチャートである。
【図５】読取処理のフローチャートである。
【図６】発呼処理のフローチャートである。
【図７】送信処理のフローチャート（その１）である。
【図８】ＵＰＤＡＴＥ又はｒｅ−ＩＮＶＩＴＥメッセージのＳＤＰの一例を示す図である。
【図９】送信処理のフローチャート（その２）である。
【図１０】タイムアップ処理のフローチャートである。
【発明を実施するための形態】
【００１４】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。また、他の構成を含むようにしてもよい。
【００１５】
＜ファクシミリ通信システム＞
ファクシミリ装置（以下、「ＦＡＸ装置」という）１０を含むファクシミリ通信システム（以下、「ＦＡＸ通信システム」という）１について、図１を参照して説明する。図１に示すＦＡＸ通信システム１は、次世代ネットワーク（Next Generation Network  以下、「ＮＧＮ」という）網３によって構築される。具体的に、ＦＡＸ通信システム１は、例えば上述した非特許文献１に示されるような、市外局番から始まる電話番号（以下、「ダイヤル番号」という）を利用した帯域確保型のデータ通信サービスによって構築される。即ち、ＦＡＸ通信システム１は、東日本電信電話株式会社及び西日本電信電話株式会社によって既に提供されている、ＮＧＮ網３を利用した帯域確保型のデータ通信サービスによって構築される。この帯域確保型のデータ通信サービスは、データコネクト（登録商標）と称されている。この帯域確保型のデータ通信サービスでは、確立されたセッションは、基準の単位となる単位時間毎に管理される。即ち、帯域確保型のデータ通信サービスでは、セッションが確立された後の経過時間が単位時間を経過する毎に、課金される。現在、単位時間は３０秒とされている。本実施形態では、単位時間を「３０秒」として説明する。単位時間あたりの単位課金額は、利用する通信帯域が高速となる程、高額となるように設定されている。ＮＧＮ網３を利用した帯域確保型のデータ通信サービスは、既に実用化された技術であるため、この他の説明は、省略する。
【００１６】
ＦＡＸ通信システム１は、送信元となるＦＡＸ装置１０の他、図１に示すように、送信先（受信側）となるＦＡＸ装置（以下、「相手先装置」という）５０と、ＳＩＰ（Session Initiation Protocol）サーバ８０とを含む。ＦＡＸ装置１０と、相手先装置５０と、ＳＩＰサーバ８０とは、ＮＧＮ網３に接続されている。ＳＩＰサーバ８０は、ＦＡＸ装置１０のＩＰアドレス及びＳＩＰＵＲＩ（SIP Uniform Resource Identifier）を対応付けて記憶し、相手先装置５０の、ＩＰアドレス及びＳＩＰＵＲＩを対応付けて記憶している。ＳＩＰサーバ８０は、ＳＩＰを用いて、ＦＡＸ装置１０と相手先装置５０との間の通信を制御する。ＦＡＸ装置１０と相手先装置５０との間でＳＩＰに従った手順に基づく各種の信号（指令）は、ＳＩＰサーバ８０を経由して送受信される。
【００１７】
＜ＦＡＸ装置＞
ＦＡＸ装置１０は、Ｔ．３８ベースのＩＰＦＡＸ（Internet Protocol FAX）通信（以下、「Ｔ．３８ＦＡＸ通信」という）を行うための機能を有する。Ｔ．３８は、ＩＰプロトコルを用いて、Ｇ３ＦＡＸ通信を行うための伝送制御プロトコルである。Ｔ．３８ＦＡＸ通信は、ＳＩＰＵＲＩを用いて、ＮＧＮ網３を介して、符号化された画像データ（以下、「符号化画像データ」という）を含むファクシミリ通信データ（以下、「ＦＡＸ通信データ」という）を通信（送受信）するものである。ＦＡＸ通信データは、符号化画像データを含む。ＦＡＸ通信データについては、後述する。Ｔ．３８ＦＡＸ通信では、相手先装置５０に対応する相手先情報として、ダイヤル番号が用いられる。ダイヤル番号としては、例えば、０ＡＢＪやＥ．１６４形式が例示され、東日本電信電話株式会社及び西日本電信電話株式会社から割り当てられる。ＦＡＸ装置１０は、Ｔ．３８ＦＡＸ通信による送信（Ｔ．３８ＦＡＸ送信）によって、符号化画像データを、相手先装置５０に送信する。ＦＡＸ装置１０は、モノクロ及びカラーの各送信に対応している。モノクロ送信では、符号化方式として、例えば、ＭＭＲ、ＭＲ、ＭＨ、及び、ＪＢＩＧが用いられる。ＦＡＸ装置１０は、ＪＢＩＧに対応している。一般的に、ＪＢＩＧに対応しているＦＡＸ装置は、それより低圧縮率であるＭＭＲ、ＭＲ、ＭＨにも対応している。ＭＭＲに対応しているＦＡＸ装置は、それより低圧縮率であるＭＲ、ＭＨにも対応している。カラー送信では、例えば、ＪＰＥＧが用いられる。
【００１８】
ＦＡＸ装置１０は、図１に示すように、表示部１２と、操作部１４と、読取部１６と、印刷部１８と、ネットワークインターフェース（ネットワークＩ／Ｆ）２０と、計時部２２とを備える。ＦＡＸ装置１０は、ＣＰＵ３０と、プログラムＲＯＭ３２と、ＲＡＭ３４と、フラッシュＲＯＭ３６とを備える。これら各部１２〜３６は、バスライン３８に接続されている。表示部１２は、諸情報を表示するためのディスプレイである。操作部１４は、複数のキーによって構成される。操作部１４は、０〜９等のテンキー、スタートキー、選択キー等で構成される。テンキーは、例えば、ダイヤル番号を入力する際に押下される。スタートキーは、Ｔ．３８ＦＡＸ送信を行う際に、押下される。例えば、相手先装置５０に、モノクロ送信を行う場合、モノクロ送信のためのスタートキーが押下される。ユーザは、操作部１４を構成する各種の処理に対応付けられたキーを操作することで、各種の指示をＦＡＸ装置１０に入力することができる。選択キーは、所定の選択肢を選択等する際に押下される。例えば、後述するアドレス帳データベースに登録された相手先装置５０に対応するダイヤル番号から、所望のダイヤル番号を選択する際に用いられる。選択キーによって所望のダイヤル番号を選択することでも、ダイヤル番号を入力することができる。読取部１６は、原稿を読み取る。印刷部１８は、ＦＡＸ装置１０で受信された符号化画像データに対応する画像を、記録用紙に印刷する。ネットワークＩ／Ｆ２０は、ＮＧＮ網３に接続され、ＦＡＸ装置１０をＮＧＮ網３に接続する。計時部２２は、時間の経過を計測する。計時部２２は、時計機能を有する。
【００１９】
ＣＰＵ３０は、演算処理を実行する。プログラムＲＯＭ３２は、後述する処理（図４〜図７及び図９、図１０参照）を含む各種の処理のためのコンピュータプログラムを記憶する。ＲＡＭ３４は、ＣＰＵ３０が各種のコンピュータプログラムを実行する際に利用される記憶領域となる。ＲＡＭ３４には、後述する処理で利用される情報（データ）のための領域が確保される。ＣＰＵ３０は、プログラムＲＯＭ３２に記憶された各種のコンピュータプログラムを実行して、ＦＡＸ装置１０を制御する。これによって、ＦＡＸ装置１０では、各種の処理が実行され、各種の機能が実現される。フラッシュＲＯＭ３６は、各種のデータを記憶する。例えば、フラッシュＲＯＭ３６には、ＳＩＰサーバ８０のドメイン名が記憶される。ユーザは、操作部１４等を介して、ＳＩＰサーバ８０のドメイン名を記憶させる。フラッシュＲＯＭ３６には、この他、相手先装置５０に関連付けて、相手先装置５０に対応するダイヤル番号等が登録されたアドレス帳データベースが記憶される。
【００２０】
相手先装置５０は、ＦＡＸ装置１０と同様又は従来から用いられているＦＡＸ装置である。相手先装置５０は、図１に示すように、ＦＡＸ装置１０の各部１２〜３８に対応する、各部５２〜７８を備える。相手先装置５０に関する説明は、省略する。
【００２１】
＜処理シーケンス＞
ＦＡＸ通信システム１において、ＦＡＸ装置１０と、相手先装置５０との間で行われるＴ．３８ＦＡＸ通信における処理の各手順について、３つの実施例を説明する。何れの実施例も、Ｔ．３８ＦＡＸ通信の途中（後述する送信処理（図４のＳ１０８、詳細は図７及び図９参照）の途中）に、相手先装置５０から、ＳＩＰにて、通信帯域の変更が設定されたＵＰＤＡＴＥ又はｒｅ−ＩＮＶＩＴＥが送信され、ＦＡＸ装置１０（ネットワークＩ／Ｆ２０）は、ＳＩＰサーバ８０を介して、ＵＰＤＡＴＥ又はｒｅ−ＩＮＶＩＴＥを受信する。ＵＰＤＡＴＥ又はｒｅ−ＩＮＶＩＴＥは、既に実用化されている、ＳＤＰ（Session Description Protocol）を含んでいる。これらに関する説明は省略する。なお、ＳＤＰは、ＳＩＰと共に利用されて、通信のためのメディアパケット伝送に必要な能力交換を行う機能を提供する。図２及び図３（Ａ），（Ｂ）では、ＳＩＰサーバ８０は省略されている。ＳＩＰに従った手順については、ＳＩＰサーバ８０を介して信号等の送受信が行われる。
【００２２】
＜第一実施例＞
第一実施例は、次のような仮定の場合の実施例である。ＦＡＸ装置１０では、セッション（メディアセッション）が確立された後の経過時間が単位時間の整数倍に対応したタイミング（後述する図７のＳ４１２参照）で、ＵＰＤＡＴＥ又はｒｅ−ＩＮＶＩＴＥが受信されている。通信開始後の経過時間が単位時間の整数倍となるタイミングは、課金に関し、その時点での単位時間が満了し、新たな単位時間に移行するタイミングともいえる。以下、第一実施例について、図２等を参照して説明する。
【００２３】
ＦＡＸ装置１０と相手先装置５０との間では、ＩＮＶＩＴＥ及び２００ＯＫの送受信がなされる（手順Ａ１，Ａ２参照）。手順Ａ１，Ａ２は、ＳＩＰにて行われる。ＩＮＶＩＴＥ及び２００ＯＫは、ＳＤＰを含んでいる。これに関する説明は省略する。ＦＡＸ装置１０にて２００ＯＫが受信されると、ＦＡＸ装置１０と相手先装置５０との間で、セッション（メディアセッション）が確立される。その後、ＦＡＸ装置１０と相手先装置５０との間で、ＦＡＸ通信データの送受信が実行される（手順Ａ３）。手順Ａ３は、Ｔ．３８にて行われる。手順Ａ３において、ＦＡＸ装置１０では、後述する図７及び図９に示す、送信処理が実行される。
【００２４】
Ｔ．３８ＦＡＸ通信の途中において、相手先装置５０は、通信帯域の変更が設定されたＵＰＤＡＴＥ又はｒｅ−ＩＮＶＩＴＥを送信し、ＦＡＸ装置１０は、これを受信する（手順Ａ４）。ＦＡＸ装置１０では、後述する処理（図７のＳ４０４〜Ｓ４１２：Ｙｅｓ）が実行され、２００ＯＫが送信され、相手先装置５０は、これを受信する（手順Ａ５）。この場合の２００ＯＫは、ＵＰＤＡＴＥ又はｒｅ−ＩＮＶＩＴＥに設定された新たな通信帯域を受け入れることを表す信号となる。即ち、ＦＡＸ装置１０では、ＵＰＤＡＴＥ又はｒｅ−ＩＮＶＩＴＥが受信されたタイミングが、セッションが確立された後の経過時間が単位時間の整数倍となるタイミングに対応しているため、通信帯域の変更に関する要求を受諾する。手順Ａ４，Ａ５は、ＳＩＰにて行われる。ＦＡＸ装置１０と相手先装置５０との間では、新たな通信帯域により、ＦＡＸ通信データの送受信がなされる（手順Ａ６）。手順Ａ６は、Ｔ．３８にて行われる。ＦＡＸ通信データが全フレーム送信された後、ＦＡＸ装置１０はＢＹＥを送信し、相手先装置５０はこれを受信する（手順Ａ７）。続けて、ＢＹＥを受信した相手先装置５０は、２００ＯＫを送信し、ＦＡＸ装置１０は、これを受信する（手順Ａ８）。手順Ａ７，Ａ８は、ＳＩＰにて行われる。手順Ａ８にて、確立されたセッションにおけるＴ．３８ＦＡＸ通信は終了する。
【００２５】
＜第二実施例＞
第二実施例は、次のような仮定の場合の実施例である。先ず、ＦＡＸ装置１０では、ＵＰＤＡＴＥ又はｒｅ−ＩＮＶＩＴＥが受信されるが、その受信は、セッションが確立された後の経過時間が単位時間の整数倍に対応したタイミングではない。次に、ＵＰＤＡＴＥ又はｒｅ−ＩＮＶＩＴＥには、通信帯域を高めるための設定がなされている。以下、第二実施例について、図３（Ａ）等を参照して説明する。なお、第二実施例での各手順について、第一実施例の各手順と共通する手順については、その対応を示すのみとし、説明は省略する。
【００２６】
ＦＡＸ装置１０と相手先装置５０との間では、図３（Ａ）に示すような、手順Ｂ１〜Ｂ４が、順次実行される。手順Ｂ１〜Ｂ４は、それぞれ、図２に示す第一実施例の手順Ａ１〜Ａ４に対応する。これらに関する説明は省略する。手順Ｂ４に続けて、ＦＡＸ装置１０では、後述する処理（図７のＳ４０４〜Ｓ４１２：Ｎｏ）が実行され、４８８信号が送信され、相手先装置５０は、これを受信する（手順Ｂ５）。この場合の４８８信号は、ＵＰＤＡＴＥ又はｒｅ−ＩＮＶＩＴＥに設定された新たな通信帯域を受け入れないことを表す信号となる。即ち、ＦＡＸ装置１０では、ＵＰＤＡＴＥ又はｒｅ−ＩＮＶＩＴＥが受信されたタイミングが、セッションが確立された後の経過時間が単位時間の整数倍となるタイミングに対応していないため、通信帯域の変更に関する要求を拒否する。手順Ｂ５は、ＳＩＰにて行われる。
【００２７】
ＦＡＸ装置１０と相手先装置５０との間では、従来のままの通信帯域により、ＦＡＸ通信データの送受信がなされる（手順Ｂ６）。時間が経過し、セッションが確立された後の経過時間が単位時間の整数倍となるタイミングの直前（後述するマージンＴ４（図９のＳ５０８参照）秒前）のタイミングになったとする。ＦＡＸ装置１０では、ＵＰＤＡＴＥ又はｒｅ−ＩＮＶＩＴＥが送信され、相手先装置５０は、これを受信する（手順Ｂ７）。ＵＰＤＡＴＥ又はｒｅ−ＩＮＶＩＴＥには、手順Ｂ４のＵＰＤＡＴＥ又はｒｅ−ＩＮＶＩＴＥに設定された通信帯域が設定される。即ち、ＦＡＸ装置１０から相手先装置５０に対し、先に要求され、拒否した通信帯域への変更（セッションが確立された際の通信帯域より高速の通信帯域への変更）が要求される。続けて、ＵＰＤＡＴＥ又はｒｅ−ＩＮＶＩＴＥを受信した相手先装置５０は、２００ＯＫを送信し、ＦＡＸ装置１０は、これを受信する（手順Ｂ８）。この場合の２００ＯＫは、ＵＰＤＡＴＥ又はｒｅ−ＩＮＶＩＴＥに設定された新たな通信帯域を受け入れることを表す信号となる。手順Ｂ７，Ｂ８は、ＳＩＰにて行われる。
【００２８】
ＦＡＸ装置１０と相手先装置５０との間では、新たな通信帯域により、ＦＡＸ通信データの送受信がなされる（手順Ｂ９）。手順Ｂ９は、Ｔ．３８にて行われる。ＦＡＸ通信データが全フレーム送信された後、手順Ｂ１０，Ｂ１１が、順次実行される。手順Ｂ１０，Ｂ１１は、それぞれ、図２に示す第一実施例の手順Ａ７，Ａ８に対応する。これらに関する説明は省略する。手順Ｂ１１にて、確立されたセッションにおけるＴ．３８ＦＡＸ通信は終了する。
【００２９】
＜第三実施例＞
第三実施例は、次のような仮定の場合の実施例である。先ず、第二実施例と同様、ＵＰＤＡＴＥ又はｒｅ−ＩＮＶＩＴＥの受信は、セッションが確立された後の経過時間が単位時間の整数倍に対応したタイミングではない。次に、ＵＰＤＡＴＥ又はｒｅ−ＩＮＶＩＴＥには、通信帯域を低下させるための設定がなされている。以下、第三実施例について、図３（Ｂ）等を参照して説明する。なお、第三実施例での各手順について、第一実施例又は第二実施例の各手順と共通する手順については、その対応を示すのみとし、説明は省略する。
【００３０】
ＦＡＸ装置１０と相手先装置５０との間では、図３（Ｂ）に示すような、手順Ｃ１〜Ｃ５が、順次実行される。手順Ｃ１〜Ｃ４は、それぞれ、図２に示す第一実施例の手順Ａ１〜Ａ４（図３（Ａ）の手順Ｂ１〜Ｂ４）に対応し、手順Ｃ５は、図３（Ａ）の手順Ｂ５に対応する。これらに関する説明は省略する。手順Ｃ５に続けて、ＦＡＸ装置１０では、ＦＡＸ通信データの送受信がなされる（手順Ｃ６）。このとき、ＦＡＸ装置１０では、手順Ｃ４のＵＰＤＡＴＥ又はｒｅ−ＩＮＶＩＴＥに設定された通信帯域まで低下させた伝送速度で、ＦＡＸ通信データの送信が実行される。即ち、手順Ｃ６では、ＦＡＸ装置１０と相手先装置５０との間では、セッションが確立された際の通信帯域のまま、これより低速な伝送速度により、ＦＡＸ通信データの送受信がなされる。ＮＧＮ網３を利用した帯域確保型のデータ通信サービスにおいて、設定された通信帯域は伝送速度の上限となる。実際のＴ．３８ＦＡＸ通信では、上限以下の速度であれば、伝送速度は可変させることができる。
【００３１】
時間が経過し、セッションが確立された後の経過時間が単位時間の整数倍となるタイミングの直前（後述するマージンＴ４（図９のＳ５０８参照）秒前）のタイミングになったとする。ＦＡＸ装置１０では、ＵＰＤＡＴＥ又はｒｅ−ＩＮＶＩＴＥが送信され、相手先装置５０は、これを受信する（手順Ｃ７）。ＵＰＤＡＴＥ又はｒｅ−ＩＮＶＩＴＥには、手順Ｃ４のＵＰＤＡＴＥ又はｒｅ−ＩＮＶＩＴＥに設定された通信帯域が設定される。即ち、ＦＡＸ装置１０から相手先装置５０に対し、先に要求され、拒否した通信帯域への変更（セッションが確立された際の通信帯域より低速の通信帯域への変更）が要求される。続けて、ＵＰＤＡＴＥ又はｒｅ−ＩＮＶＩＴＥを受信した相手先装置５０は、２００ＯＫを送信し、ＦＡＸ装置１０は、これを受信する（手順Ｃ８）。この場合の２００ＯＫは、ＵＰＤＡＴＥ又はｒｅ−ＩＮＶＩＴＥに設定された新たな通信帯域を受け入れることを表す信号となる。手順Ｃ７，Ｃ８は、ＳＩＰにて行われる。
【００３２】
ＦＡＸ装置１０と相手先装置５０との間では、新たな通信帯域により、ＦＡＸ通信データの送受信がなされる（手順Ｃ９）。手順Ｃ９は、Ｔ．３８にて行われる。ＦＡＸ通信データが全フレーム送信された後、手順Ｃ１０，Ｃ１１が、順次実行される。手順Ｃ１０，Ｃ１１は、それぞれ、図２に示す第一実施例の手順Ａ７，Ａ８（図３（Ａ）の手順Ｂ１０，Ｂ１１）に対応する。これらに関する説明は省略する。手順Ｃ１１にて、確立されたセッションにおけるＴ．３８ＦＡＸ通信は終了する。
【００３３】
＜ＦＡＸ装置で実行される処理＞
ＦＡＸ装置１０で実行される処理について説明する。以下では、図２及び図３（Ａ），（Ｂ）に基づき上述した説明との対応を明らかにするため、図２の手順Ａ１〜手順Ａ８、図３（Ａ）の手順Ｂ１〜手順Ｂ１１、及び、図３（Ｂ）の手順Ｃ１〜Ｃ１１を、対応する処理の説明及び／又はステップ番号に併記する。その際、各手順が示された図の番号の記載は省略する（単に、「手順Ａ１」、「手順Ｂ２」、「手順Ｃ３」等と記載する）。
【００３４】
＜ファクシミリ処理＞
ファクシミリ処理について、図４等を参照して説明する。ファクシミリ処理の開始に際し、ユーザは、送信対象となる原稿をＦＡＸ装置１０にセットし、操作部１４を操作して、ＦＡＸ通信データの送信先となる相手先装置５０のダイヤル番号を入力する。ダイヤル番号の入力は、操作部１４のダイヤルキーを押下し、又は、操作部１４の選択キーを操作し、アドレス帳データベースへの登録に基づき、表示部１２に表示された相手先装置５０に対応するダイヤル番号の中から、所望のダイヤル番号を選択して行われる。その後、ユーザは、操作部１４のスタートキーを押下する。ファクシミリ処理は、スタートキーの押下に応じて開始される。ファクシミリ処理における相手先装置５０との通信は、Ｔ．３８ＦＡＸ通信にて行われる。
【００３５】
ＣＰＵ３０は、入力されたダイヤル番号を取得する（Ｓ１００）。ダイヤル番号は、ＲＡＭ３４に確保されたダイヤル番号領域に記憶される。ＣＰＵ３０は、読取処理を実行する（Ｓ１０２）。その後、ＣＰＵ３０は、発呼処理を実行する（Ｓ１０４）。読取処理及び発呼処理については、後述する。続けて、ＣＰＵ３０は、発呼処理で設定された接続フラグが接続ＯＫであるかを判断する（Ｓ１０６）。接続フラグは、ＲＡＭ３４に確保された接続フラグ領域に記憶されている。接続フラグは、ファクシミリ処理の開始に際し、入力されたダイヤル番号の相手先装置５０との間で、セッションが確立されたか否かを表すフラグである。具体的に、接続ＯＫは、セッションが確立された場合に設定されるフラグである。接続ＮＧは、セッションが確立されない場合に設定されるフラグである。
【００３６】
接続フラグが、接続ＯＫではなく、接続ＮＧであった場合（Ｓ１０６：Ｎｏ）、ＣＰＵ３０は、ファクシミリ処理を終了する。接続フラグが、接続ＯＫであった場合（Ｓ１０６：Ｙｅｓ）、ＣＰＵ３０は、送信処理を実行する（Ｓ１０８）。送信処理については、後述する。その後、ＣＰＵ３０は、ＢＹＥがネットワークＩ／Ｆ２０から送信されるように制御する（Ｓ１１０／手順Ａ７、手順Ｂ１０、手順Ｃ１０参照）。ＢＹＥの送信は、ＳＩＰにて行われる。送信されたＢＹＥは、ＳＩＰサーバ８０を介して相手先装置５０に送信される（手順Ａ７、手順Ｂ１０、手順Ｃ１０参照）。ＢＹＥを受信した相手先装置５０は、その後、２００ＯＫを送信する（手順Ａ８、手順Ｂ１１、手順Ｃ１１参照）。２００ＯＫの送信は、ＳＩＰにて行われる。送信された２００ＯＫは、ＳＩＰサーバ８０を介してＦＡＸ装置１０に送信される。ＣＰＵ３０は、ネットワークＩ／Ｆ２０での２００ＯＫの受信を制御する（Ｓ１１２／手順Ａ８、手順Ｂ１１、手順Ｃ１１参照）。ネットワークＩ／Ｆ２０では、２００ＯＫが受信される。Ｓ１１２を実行した後、ＣＰＵ３０は、ファクシミリ処理を終了する。この場合、Ｔ．３８ＦＡＸ通信も終了する。
【００３７】
＜読取処理＞
図４に示すファクシミリ処理のＳ１０２で実行される読取処理について、図５等を参照して説明する。読取処理を開始したＣＰＵ３０は、ＦＡＸ装置１０にセットされた原稿の読み取りが読取部１６で行われるように制御する（Ｓ２００）。読取部１６では、ＦＡＸ装置１０にセットされた原稿の読み取りが実行される。読取部１６にて読み取られた原稿に対応する画像データは、ＲＡＭ３４に確保された画像データ領域に記憶される。続けて、ＣＰＵ３０は、ＲＡＭ３４の画像データ領域に記憶された画像データを、予め定められた符号化方式で符号化し、符号化画像データを生成する（Ｓ２０２）。例えば、今回の送信がモノクロ送信である場合、ＭＭＲで符号化する。ＭＭＲ方式の符号化画像データを生成する。生成された符号化画像データは、ＲＡＭ３４に確保された送信用領域に記憶される。最終的に、ＲＡＭ３４の送信用領域には、読み取られた全ての原稿に対応する画像データを符号化した、全頁分の符号化画像データが記憶される。続けて、ＣＰＵ３０は、ＲＡＭ３４の送信用領域に記憶された全頁分の符号化画像データのデータ量を取得し、データ量管理領域に記憶する（Ｓ２０４）。Ｓ２０４を実行した後、ＣＰＵ３０は、読取処理を終了し、処理を図４のＳ１０４に戻す。
【００３８】
＜発呼処理＞
図４に示すファクシミリ処理のＳ１０４で実行される発呼処理について、図６等を参照して説明する。発呼処理を開始したＣＰＵ３０は、ＩＮＶＩＴＥがネットワークＩ／Ｆ２０から送信されるように制御する（Ｓ３００／手順Ａ１、手順Ｂ１、手順Ｃ１参照）。ＩＮＶＩＴＥの送信は、ＳＩＰにて行われる。ＩＮＶＩＴＥには、以降の通信で利用する通信帯域が設定されている。例えば、ＮＧＮ網３を利用した帯域確保型のデータ通信サービスで利用可能な通信帯域が、６４ｋｂｐｓ、５１２ｋｂｐｓ及び１Ｍｂｐｓである場合において、通信帯域を５１２ｋｂｐｓとするとき、ＩＮＶＩＴＥは「bs=AS:512」との情報を含む。Ｓ３００に際し、ＣＰＵ３０は、フラッシュＲＯＭ３６から、ＳＩＰサーバ８０のドメイン名を読み出す。ＣＰＵ３０は、図４のＳ１００で取得され、ＲＡＭ３４のダイヤル番号領域に記憶されたダイヤル番号と、読み出したドメイン名とから、ＳＩＰＵＲＩを生成する。ＲＡＭ３４のダイヤル番号領域に記憶されたダイヤル番号が、「1234567890」であって、ＳＩＰサーバ８０のドメイン名が「sipuri.com」であるとする。このとき、ＣＰＵ３０は、これら各情報から、「1234567890＠sipuri.com」とのＳＩＰＵＲＩを生成する。ＩＮＶＩＴＥは、作成されたＳＩＰＵＲＩを宛先として、送信される。
【００３９】
送信されたＩＮＶＩＴＥは、ＳＩＰサーバ８０を介して相手先装置５０に送信される（手順Ａ１、手順Ｂ１、手順Ｃ１参照）。ＩＮＶＩＴＥが相手先装置５０で受信された場合、これを受信した相手先装置５０は、２００ＯＫを送信する（手順Ａ２、手順Ｂ２、手順Ｃ２参照）。２００ＯＫの送信は、ＳＩＰにて行われる。送信された２００ＯＫは、ＳＩＰサーバ８０を介してＦＡＸ装置１０に送信される。ＣＰＵ３０は、ネットワークＩ／Ｆ２０で２００ＯＫが受信されたかを判断する（Ｓ３０２）。２００ＯＫが受信されない場合（Ｓ３０２：Ｎｏ）、ＣＰＵ３０は、ＳＩＰによる接続に失敗したと判断する。ＣＰＵ３０は、接続フラグとして接続ＮＧを設定する（Ｓ３０４）。この場合、ＦＡＸ装置１０と相手先装置５０との間で、セッションは確立されなかったこととなる。設定された接続ＮＧは、ＲＡＭ３４の接続フラグ領域に記憶される。Ｓ３０４を実行した後、ＣＰＵ３０は、発呼処理を終了し、処理を図４のＳ１０６に戻す。
【００４０】
２００ＯＫが受信された場合（Ｓ３０２：Ｙｅｓ／手順Ａ２、手順Ｂ２、手順Ｃ２参照）、ＣＰＵ３０は、ＳＩＰによる接続に成功したと判断する。ＣＰＵ３０は、接続フラグとして接続ＯＫを設定する（Ｓ３０６）。設定された接続ＯＫは、ＲＡＭ３４の接続フラグ領域に記憶される。この場合、ＦＡＸ装置１０と相手先装置５０との間で、セッションが確立されたこととなる。続けて、ＣＰＵ３０は、計時部２２で計時されている現在時刻を、ＲＡＭ３４に確保された時間領域に記憶する（Ｓ３０８）。ＣＰＵ３０は、受信された２００ＯＫに含まれる通信帯域を、通信に利用する通信帯域として、ＲＡＭ３４に確保された通信帯域領域に記憶する（Ｓ３１０）。以下では、Ｓ３０８で記憶された時刻を「時刻Ｔ１」といい、Ｓ３１０で記憶された通信帯域を「帯域Ｖ」という。Ｓ３１０を実行した後、ＣＰＵ３０は、発呼処理を終了し、処理を図４のＳ１０６に戻す。
【００４１】
＜送信処理＞
図４に示すファクシミリ処理のＳ１０８で実行される送信処理について、図７〜図９等を参照して説明する。送信処理を開始したＣＰＵ３０は、ＦＡＸ通信データを１フレーム送信する（Ｓ４００／手順Ａ３，Ａ６、手順Ｂ３，Ｂ６，Ｂ９、手順Ｃ３，Ｃ６，Ｃ９参照）。Ｓ４００は、Ｔ．３８にて行われる。ＦＡＸ通信データは、Ｔ．３８にて行われる各手順において、ネットワークＩ／Ｆ２０から相手先装置５０に送信される各信号及び符号化画像データを総称したものである。ＦＡＸ通信データにおける１フレームは、送信対象がＴ．３８で規定された信号である場合、送信対象の１つの信号に対応する。Ｔ．３８で規定された信号には、ＤＣＮ、ＤＣＳ及びＥＯＰ等が例示される。これら各信号は、既に実用化されたＴ．３８に基づく信号であるため、説明は省略する。ＦＡＸ通信データにおける１フレームは、送信対象が符号化画像データである場合、符号化画像データの１フレームに対応する。Ｓ４００で、ＣＰＵ３０は、送信処理にて管理されるスピードＸ（変数）を設定する。スピードＸは、伝送速度を管理する変数である。スピードＸは、ＲＡＭ３４の通信帯域領域に記憶されて管理される。ＣＰＵ３０は、ネットワークＩ／Ｆ２０から送信されるＦＡＸ通信データの伝送速度がスピードＸに対応した速度となるように制御する。即ち、ネットワークＩ／Ｆ２０では、スピードＸに対応した伝送速度にて、ＦＡＸ通信データがＮＧＮ網３に送信される。送信処理が開始された直後であれば、スピードＸには、図６のＳ３１０で、ＲＡＭ３４の通信帯域領域に記憶された帯域Ｖが設定される。従って、ＣＰＵ３０は、帯域Ｖに対応した伝送速度で、ＦＡＸ通信データをネットワークＩ／Ｆ２０から送信（送出）する。
【００４２】
次に、ＣＰＵ３０は、ネットワークＩ／Ｆ２０で、ＵＰＤＡＴＥ又はｒｅ−ＩＮＶＩＴＥが受信されたかを判断する（Ｓ４０２）。ＵＰＤＡＴＥ又はｒｅ−ＩＮＶＩＴＥは、同様の情報を定義可能な信号であって、図８に示すような情報を含む信号である。ＵＰＤＡＴＥ又はｒｅ−ＩＮＶＩＴＥによれば、確立されたセッションにおいて利用する通信帯域を含む、確立されたセッションで用いる各種の設定を変更することができる。具体的に、ＵＰＤＡＴＥ又はｒｅ−ＩＮＶＩＴＥは、「b=AS:帯域」との情報を含む。ここで、「帯域」の部分には、変更後の通信帯域（値）が設定される。
【００４３】
ＵＰＤＡＴＥ又はｒｅ−ＩＮＶＩＴＥの何れも受信されない場合（Ｓ４０２：Ｎｏ）、ＣＰＵ３０は、処理を図９のＳ５１０に移行する。ＵＰＤＡＴＥ又はｒｅ−ＩＮＶＩＴＥの何れかが受信された場合（Ｓ４０２：Ｙｅｓ／手順Ａ４、手順Ｂ４、手順Ｃ４参照）、ＣＰＵ３０は、受信されたＵＰＤＡＴＥ又はｒｅ−ＩＮＶＩＴＥに設定された通信帯域を、ＲＡＭ３４の通信帯域領域に記憶する（Ｓ４０４）。以下では、Ｓ４０４で記憶された通信帯域を「帯域Ｗ」という。Ｓ４０４で記憶される帯域Ｗは、図６のＳ３１０での帯域Ｖとは別に管理される。続けて、ＣＰＵ３０は、帯域Ｖと帯域Ｗとが同一であるかを判断する（Ｓ４０６）。即ち、Ｓ４０６では、受信されたＵＰＤＡＴＥ又はｒｅ−ＩＮＶＩＴＥは、通信帯域の変更が設定された信号であるか否かが判断される。帯域Ｖと帯域Ｗとが同一である場合（Ｓ４０６：Ｙｅｓ）、ＣＰＵ３０は、処理を図９のＳ５１０に移行する。この場合、受信されたＵＰＤＡＴＥ又はｒｅ−ＩＮＶＩＴＥは、通信帯域以外の設定の変更等に関する信号である。
【００４４】
帯域Ｖと帯域Ｗとが同一ではない場合（Ｓ４０６：Ｎｏ）、ＣＰＵ３０は、計時部２２で計時されている現在時刻を、ＲＡＭ３４の時間領域に記憶する（Ｓ４０８）。以下では、Ｓ４０８で記憶された現在時刻を「時刻Ｔ２」という。Ｓ４０８で記憶される時刻Ｔ２は、図６のＳ３０８での時刻Ｔ１とは別に管理される。続けて、ＣＰＵ３０は、セッションの確立（図６のＳ３０２：Ｙｅｓ，Ｓ３０８参照）からＵＰＤＡＴＥ又はｒｅ−ＩＮＶＩＴＥが受信されたタイミング（Ｓ４０２：Ｙｅｓ，Ｓ４０８参照）までの経過時間（時刻Ｔ２−時刻Ｔ１）を、単位時間（３０秒）で除した計算結果の余りとなる時間を取得し、取得された時間を、ＲＡＭ３４の時間領域に記憶する（Ｓ４１０）。以下では、Ｓ４１０で記憶された時間を「剰余時間Ｔ３」という。
【００４５】
次に、ＣＰＵ３０は、Ｓ４１２でＲＡＭ３４の時間領域に記憶された剰余時間Ｔ３に予め定めたマージンＴ４を加算した剰余時間Ｔ３に対応した時間（第一基本時間）が、単位時間としての３０秒以上であるかを判断する（Ｓ４１２）。ここで、マージンＴ４は、剰余時間Ｔ３が単位時間としての３０秒に近い時間であるかを確認するためのマージンである。マージンＴ４は、例えば、１秒〜２秒程度以下の範囲で適宜定められる。
【００４６】
第一基本時間（剰余時間Ｔ３＋マージンＴ４（秒））が単位時間としての３０秒より短い場合（Ｓ４１２：Ｎｏ）、ＣＰＵ３０は、４８８信号（Not Acceptable Here）がネットワークＩ／Ｆ２０から送信されるように制御する（Ｓ４１４／手順Ｂ５，手順Ｃ５参照）。４８８信号は、ＵＰＤＡＴＥ又はｒｅ−ＩＮＶＩＴＥによる要求を受け入れないことを表す信号である。即ち、ＣＰＵ３０は、４８８信号を送信し、通信帯域の変更に関する要求を拒否する。Ｓ４１４を実行した後、ＣＰＵ３０は、処理を図９のＳ５００に移行する。第一基本時間が単位時間としての３０秒以上である場合（Ｓ４１２：Ｙｅｓ）、ＣＰＵ３０は、２００ＯＫがネットワークＩ／Ｆ２０から送信されるように制御する（Ｓ４１６／手順Ａ５参照）。この場合の２００ＯＫは、ＵＰＤＡＴＥ又はｒｅ−ＩＮＶＩＴＥによる要求を受け入れることを表す信号である。即ち、ＣＰＵ３０は、２００ＯＫを送信し、通信帯域の変更に関する要求を受諾する。続けて、ＣＰＵ３０は、ＲＡＭ３４の通信帯域領域に記憶されたスピードＸを、帯域Ｗに更新する（Ｓ４１８）。Ｓ４１８を実行した後、ＣＰＵ３０は、処理を図９のＳ５１０に移行する。
【００４７】
図９のＳ５００で、ＣＰＵ３０は、帯域Ｗが帯域Ｖより高速であるかを判断する。換言すれば、ＣＰＵ３０は、ＵＰＤＡＴＥ又はｒｅ−ＩＮＶＩＴＥがセッションの確立の際に設定された通信帯域（帯域Ｖ）より、低速の通信帯域が設定された信号であるか、高速の通信帯域が設定された信号であるかを判断する。帯域Ｗが帯域Ｖより低速である場合（Ｓ５００：Ｎｏ）、ＣＰＵ３０は、ＲＡＭ３４の通信帯域領域に記憶されたスピードＸを、帯域Ｗに更新する（Ｓ５０２）。帯域Ｗが帯域Ｖより高速である場合（Ｓ５００：Ｙｅｓ）、又は、Ｓ５０２が実行された後、ＣＰＵ３０は、セッションが確立された後、ここまでのタイミングで、既に送信された符号化画像データのデータ量を取得する（Ｓ５０４）。Ｓ５０４を実行した後、ＣＰＵ３０は、処理をＳ５０６に移行する。
【００４８】
Ｓ５０６で、ＣＰＵ３０は、先ず、図５のＳ２０４でＲＡＭ３４のデータ量管理領域に記憶された全頁分の符号化画像データのデータ量から、Ｓ５０４で取得された送信済みの符号化画像データのデータ量を差し引き、送信されていない符号化画像データのデータ量（未送信データ量）を取得する。続けて、ＣＰＵ３０は、未送信データ量を、ＲＡＭ３４の通信帯域領域に記憶されたスピードＸで除して得られる時間（必要時間（秒））が、単位時間としての３０秒から剰余時間Ｔ３を差し引いた時間より長いかを判断する。即ち、Ｓ５０６では、現在のスピードＸに対応した伝送速度で符号化画像データを送信し続けた場合、新たな単位時間となる前に、送信が完了するかが判断される。必要時間（未送信データ量／スピードＸ）が前述の時間（３０−剰余時間Ｔ３（秒））より短い場合（Ｓ５０６：Ｎｏ）、ＣＰＵ３０は、処理をＳ５１０に移行する。必要時間が前述の時間（３０−剰余時間Ｔ３（秒））より長い場合（Ｓ５０６：Ｙｅｓ）、ＣＰＵ３０は、単位時間としての３０秒から第一基本時間（剰余時間Ｔ３＋マージンＴ４（秒）、図７のＳ４１２参照）を差し引いた時間（第二基本時間）をタイムアップ処理のためのカウント値としてセットする（Ｓ５０８）。以下では、セットされるカウンタ値を「タイマーＴ５」という。このとき、ＣＰＵ３０は、セットされたタイマーＴ５のカウントが計時部２２で開始されるように制御する。Ｓ５０８を実行した後、ＣＰＵ３０は、処理をＳ５１０に移行する。
【００４９】
Ｓ５１０で、ＣＰＵ３０は、タイムアップ処理を実行する。タイムアップ処理については、後述する。その後、ＣＰＵ３０は、ＦＡＸ通信データの全フレームの送信が完了したかを判断する（Ｓ５１２）。即ち、ＣＰＵ３０は、ＦＡＸ通信データを送信するためのＴ．３８による全ての手順が完了したかを判断する。全フレームの送信が完了していない場合（Ｓ５１２：Ｎｏ）、ＣＰＵ３０は、処理を図７のＳ４００に移行し、未送信の１フレームを対象として、上述したような制御を実行する。なお、図７のＳ４１８が実行された状態で処理がＳ４００に移行し、又は、Ｓ５０２が実行された状態で処理がＳ４００に移行したとする。この場合、スピードＸは帯域Ｗに更新されているため、Ｓ４００では、帯域Ｗに従った伝送速度で、ＦＡＸ通信データが、ネットワークＩ／Ｆ２０から送信される（手順Ａ６、手順Ｃ６参照）。
【００５０】
特に、Ｓ５０２が実行された状態で処理がＳ４００に移行した場合、通信帯域は、セッションが確立された際の帯域Ｖのままの状態である。しかし、スピードＸが帯域Ｗに更新されているため、ＣＰＵ３０は、ネットワークＩ／Ｆ２０から送信されるＦＡＸ通信データの伝送速度が帯域Ｗに対応した速度となるように制御する。即ち、ネットワークＩ／Ｆ２０では、帯域Ｗに対応した伝送速度にて、ＦＡＸ通信データが送信される。上述した通り、ＮＧＮ網３を利用した帯域確保型のデータ通信サービスにおいて、セッションの確立の際に設定された帯域Ｖは伝送速度の上限である。実際のＴ．３８ＦＡＸ通信では、上限以下の速度であれば、伝送速度は可変させることができる。全フレームの送信が完了している場合（Ｓ５１２：Ｙｅｓ）、ＣＰＵ３０は、送信処理を終了し、処理を図４のＳ１１０に戻す。
【００５１】
＜タイムアップ処理＞
図９のＳ５１０で実行されるタイムアップ処理について、図１０を参照して説明する。タイムアップ処理を開始したＣＰＵ３０は、図９のＳ５１０でのタイマーＴ５のセットに合わせて開始させたカウントがタイムアップしたかを判断する（Ｓ６００）。タイマーＴ５がタイムアップしている場合（Ｓ６００：Ｙｅｓ）、ＣＰＵ３０は、通信帯域としてＲＡＭ３４の通信帯域領域に記憶された帯域Ｗが設定されたＵＰＤＡＴＥ又はｒｅ−ＩＮＶＩＴＥがネットワークＩ／Ｆ２０から送信されるように制御する（Ｓ６０２／手順Ｂ７、手順Ｃ７参照）。ＵＰＤＡＴＥ又はｒｅ−ＩＮＶＩＴＥの送信は、ＳＩＰにて行われる。ＵＰＤＡＴＥ又はｒｅ−ＩＮＶＩＴＥの何れを送信するかについては、適宜決定される。ＵＰＤＡＴＥ又はｒｅ−ＩＮＶＩＴＥは、ＳＩＰサーバ８０を介して、相手先装置５０に送信され、相手先装置５０はこれを受信する。相手先装置５０は、ＦＡＸ装置１０からのＵＰＤＡＴＥ又はｒｅ−ＩＮＶＩＴＥに設定された帯域Ｗを受け入れる場合、２００ＯＫを送信する。これ以降の手順については、図３（Ａ），（Ｂ）に基づき上述した通りである（手順Ｂ８以降、手順Ｃ８以降の各手順参照）。従って、その説明は省略する。
【００５２】
タイマーＴ５がタイムアップしていない場合（Ｓ６００：Ｎｏ）、又は、Ｓ６０２を実行した後、ＣＰＵ３０は、タイムアップ処理を終了し、処理を図９のＳ５１２に戻す。ところで、タイマーＴ５は、図９のＳ５０８にてセットされ、このタイミングで計時部２２での計測が開始される。ＵＰＤＡＴＥ又はｒｅ−ＩＮＶＩＴＥが受信（図７のＳ４０２：Ｙｅｓ参照）されたタイミングによっては、１度もＳ５０８が実行されない状態で、図９のＳ５０６が否定され（Ｓ５０６：Ｎｏ）、タイムアップ処理が実行される場合も想定される。図７のＳ４０６が肯定された場合（Ｓ４０６：Ｙｅｓ）、又は、図７のＳ４１６及びＳ４１８が実行された場合についても、１度もＳ５０８が実行されない状態で、タイムアップ処理が実行される。このような場合、ＣＰＵ３０は、タイマーＴ５はタイムアップしていないと判断し（Ｓ６００：Ｎｏ）、上述した通り、処理を図９のＳ５１２に戻す。
【００５３】
＜本実施形態による効果＞
本実施形態によれば次のような効果を得ることができる。
【００５４】
（１）上記では、Ｔ．３８ＦＡＸ通信の途中、換言すれば、図４に示すファクシミリ処理の途中（詳細には、図７に示す送信処理のＳ４００を実行後、送信処理が終了するまでの間）に、通信帯域の変更が設定されたＵＰＤＡＴＥ又はｒｅ−ＩＮＶＩＴＥが受信された場合（図７のＳ４０２：Ｙｅｓ参照）、セッションが確立されてから、前述した何れかの信号が受信されるまでの経過時間（時刻Ｔ２−時刻Ｔ１）と、単位時間とに応じたＳ４１２（図７参照）での判断に応じて、送信（応答）する信号を、４８８信号又は２００ＯＫの何れかとした。Ｓ４１２が否定される場合（図７のＳ４１２：Ｎｏ参照）、４８８信号を送信し（図７のＳ４１４参照）、Ｓ４１２が肯定される場合（図７のＳ４１２：Ｙｅｓ参照）、２００ＯＫを送信する（図７のＳ４１６参照）こととした。
【００５５】
ＮＧＮ網３を利用した帯域確保型のデータ通信サービスでは、単位時間毎に課金額が加算される。換言すれば、単位時間の範囲内では課金額は加算されない。例えば、前述の経過時間が３１秒を超えた場合（単位時間：２周期目）であれば、６０秒までは課金額は一定である。これとは別に、ＮＧＮ網３を利用した帯域確保型のデータ通信サービスでは、確立されたセッションにおいて、通信帯域を変更すると、そのタイミングで、単位時間のカウントが開始される。例えば、経過時間が３１秒（単位時間：２周期目）のタイミングで、通信帯域を変更すると、変更前の通信帯域に基づいた２周期分の額に、変更後の通信帯域に基づいた少なくとも１周期分の額を合計した額が、そのセッションにおける課金額となる。このような場合と、通信帯域の変更のタイミングを、２周期目の単位時間が満了するタイミングに近い、例えば５９秒で行った場合とを比較すると、両者の課金額は同額となる。課金額を一定とすれば、後述のようなパターンは、前述のようなパターンより、２８秒間長く通信できたこととなる。換言すれば、前述のようなパターンは、後述のようなパターンより、２８秒間の通信時間を無駄にしたこととなる。
【００５６】
ここで、「剰余時間Ｔ３＋マージンＴ４≧３０（秒）」との条件に基づく、図７のＳ４１２は、換言すれば、ＵＰＤＡＴＥ又はｒｅ−ＩＮＶＩＴＥが受信されたタイミングが、現在の単位時間が満了し、新たな単位時間に移行する直前のタイミング（課金額が増加する新たな単位時間に移行するタイミングからマージンＴ４以内のタイミング）であるか否かを判断するための処理である。本実施形態は、このような判断を行い、ＵＰＤＡＴＥ又はｒｅ−ＩＮＶＩＴＥが受信されたタイミングが新たな単位時間に移行する直前のタイミングではない場合（図７のＳ４１２：Ｎｏ参照）、４８８信号を送信し（図７のＳ４１４参照）、現状の通信帯域による通信を継続させる。これに対し、ＵＰＤＡＴＥ又はｒｅ−ＩＮＶＩＴＥが受信されたタイミングが新たな単位時間に移行する直前のタイミングである場合（図７のＳ４１２：Ｙｅｓ参照）、２００ＯＫを送信し（図７のＳ４１６参照）、相手先装置５０の要求に応じて通信帯域を変更し、新たな通信帯域による通信を行う。これによって、上述したような通信時間の無駄を削減することができる。
【００５７】
（２）上記では、Ｓ４１２を否定し（図７のＳ４１２：Ｎｏ参照）、４８８信号を送信した場合（図７のＳ４１４参照）であって、新たな単位時間に移行する前に、符号化画像データの送信が完了しないと判断される場合（図９のＳ５０６：Ｙｅｓ参照）、新たな単位時間までの時間に対応した第二基本時間（３０−（剰余時間Ｔ３＋マージンＴ４）（秒））をタイマーＴ５にセットする（図９のＳ５０８参照）こととした。その上で、タイマーＴ５がタイムアップしたタイミングで（図１０のＳ６００：Ｙｅｓ参照）、受信されたＵＰＤＡＴＥ又はｒｅ−ＩＮＶＩＴＥ（図７のＳ４０２：Ｙｅｓ参照）で設定された通信帯域（帯域Ｗ）が設定されたＵＰＤＡＴＥ又はｒｅ−ＩＮＶＩＴＥを、相手先装置５０に送信することとした（図１０のＳ６０２参照）。従って、通信時間の無駄を削減しつつ、相手先装置５０からの要求に従ったＴ．３８ＦＡＸ通信（ＦＡＸ通信データの送信）を実現することができる。
【００５８】
（３）上記では、Ｓ４１２を否定し（図７のＳ４１２：Ｎｏ参照）、４８８信号を送信した場合（図７のＳ４１４参照）において、受信されたＵＰＤＡＴＥ又はｒｅ−ＩＮＶＩＴＥ（図７のＳ４０２：Ｙｅｓ参照）で設定された通信帯域（帯域Ｗ）が、その時点で利用されている通信帯域より低速であった場合（図９のＳ５００：Ｎｏ参照）、伝送速度を管理するスピードＸを、帯域Ｗに更新する（図９のＳ５０２参照）こととした。従って、その後に継続される（図９のＳ５１２：Ｎｏ参照）、ＦＡＸ通信データの送信を、帯域Ｗに対応した伝送速度とすることができる。即ち、実質的に、相手先装置５０からの要求に応じたＴ．３８ＦＡＸ通信（ＦＡＸ通信データの送信）を実行させることができる。
【００５９】
＜変形例＞
本実施形態は、次のようにすることもできる。上記では、図７に示す送信処理のＳ４１２を「剰余時間Ｔ３＋マージンＴ４≧３０（秒）」との条件に基づき判断することとした。このような条件は、次のような条件であってもよい。例えば、「３０−剰余時間Ｔ３≦マージンＴ４（秒）」としてもよい。この他、図７のＳ４１０で、単位時間を整数倍した時間であって、経過時間（時刻Ｔ２−時刻Ｔ１）より長い最小の時間を算出（以下、「第三基本時間」という）する。その上で、図７のＳ４１２で、「第三基本時間−経過時間≦マージンＴ４」に基づいた判断を実行する。この判断が否定される場合（図７のＳ４１２：Ｎｏ参照）、処理は図７のＳ４１４に移行し、肯定される場合（図７のＳ４１２：Ｙｅｓ参照）、処理は図７のＳ４１６に移行する。ここに例示した何れの条件によっても、上述した「剰余時間Ｔ３＋マージンＴ４≧３０（秒）」と同様の関係を判断することが可能で、経過時間と単位時間との関係を判断することができる。
【符号の説明】
【００６０】
１  ファクシミリ通信システム（ＦＡＸ通信システム）
３  次世代ネットワーク網（ＮＧＮ網）
１０  ファクシミリ装置（ＦＡＸ装置）
１２  表示部、  １４  操作部、  １６  読取部、  １８  印刷部
２０  ネットワークインターフェース（ネットワークＩ／Ｆ）、  ２２  計時部
３０  ＣＰＵ、  ３２  プログラムＲＯＭ、  ３４  ＲＡＭ
３６  フラッシュＲＯＭ、  ３８  バスライン、  ８０  ＳＩＰサーバ
【図１】
0005879882.tif 000002
【図２】
0005879882.tif 000003
【図３】
0005879882.tif 000004
【図４】
0005879882.tif 000005
【図５】
0005879882.tif 000006
【図６】
0005879882.tif 000007
【図７】
0005879882.tif 000008
【図８】
0005879882.tif 000009
【図９】
0005879882.tif 000010
【図１０】
0005879882.tif 000011